(57)【特許請求の範囲】
【請求項１】
駆動車輪と、
その外側に前記駆動車輪を回転自在に連結している一対の両側フレームと、
前記一対の両側フレームの各々の、その外側であって前記駆動車輪よりも前方に設けられたアーム傾動軸に傾動可能に連結され、アーム伸展位置とアーム折畳位置に切り替え可能な足載アームと、
各足載アームの先端部にプレート回動軸を介して回動可能に連結され、その上面に足を載せることができる足載プレートと、
を備える車椅子であって、
前記足載アームは、アーム伸展位置における先端部同士の間隔を、アーム折畳位置における先端部同士の間隔よりも狭くしており、
正面視において、前記アーム傾動軸の両端の内、車椅子の外側に位置する一端が、車椅子の内側に位置する他端よりも低い位置になるよう傾斜させて設けてなる車椅子。
【請求項２】
請求項１に記載の車椅子であって、
前記足載アームと前記アーム傾動軸とが互いに交差し、この交差部を通り前記アーム傾動軸と直交する垂直面よりも、前記足載アームの先端部が内側に位置するように、前記足載アームが、前記アーム傾動軸に対して傾斜して前記アーム傾動軸に連結されてなる車椅子。
【請求項３】
請求項２に記載の車椅子であって、
正面視において、前記足載アームの傾斜角θを、前記アーム傾動軸の傾斜角αと等しくすることで、前記足載アームはアーム折畳位置で、両端部が同一鉛直線上に位置する直立姿勢になるように設けられてなる車椅子。
【請求項４】
請求項１乃至３のいずれか一項に記載の車椅子であって、
前記アーム傾動軸が、前記車椅子の平面視において、前記車椅子の外側に位置する一端を、水平線に対し、前記車椅子の内側に位置する他端よりも前方に位置するように傾斜させて設けてなる車椅子。
【請求項５】
駆動車輪と、
その外側に前記駆動車輪を回転自在に連結している一対の両側フレームと、
前記一対の両側フレームの各々の、その外側であって前記駆動車輪よりも前方に設けられたアーム傾動軸に傾動可能に連結され、アーム伸展位置とアーム折畳位置に切り替え可能な足載アームと、
各足載アームの先端部にプレート回動軸を介して回動可能に連結され、その上面に足を載せることができる足載プレートと、
を備える車椅子であって、
前記足載アームは、アーム伸展位置における先端部同士の間隔を、アーム折畳位置における先端部同士の間隔よりも狭くしており、
前記アーム傾動軸が、前記車椅子の平面視において、前記車椅子の外側に位置する一端を、水平線に対し、前記車椅子の内側に位置する他端よりも前方に位置するように傾斜させて設けてなる車椅子。
【請求項６】
請求項１乃至５のいずれか一項に記載の車椅子であって、前記足載アームは、アーム伸展位置における前記足載アームの先端部が、その後端よりも車椅子の内側に位置するように設けられてなる車椅子。
【請求項７】
請求項１乃至６の何れか一項に記載の車椅子であって、平面視において、前記アーム傾動軸の両端の内、車椅子の外側に位置する一端が、車椅子の内側に位置する他端よりも前方に位置するように前記両側フレームに対して傾斜して設けられてなる車椅子。
【請求項８】
請求項４乃至７の何れか一項に記載の車椅子であって、前記アーム傾動軸の水平方向あるいは車椅子の前後方向に対する傾斜角が１°〜３０°に設けられてなる車椅子。
【請求項９】
請求項１乃至８の何れか一項に記載の車椅子であって、
前記足載アームは、前記足載プレートを回動可能に前記足載アームに連結するプレート回動軸を備え、
前記プレート回動軸が、平面視において、前記足載アームの延在方向に対して、車椅子の前後方向に傾斜してなる車椅子。    
【請求項１０】
請求項９に記載の車椅子であって、
前記足載プレートが平面視において矩形状に形成され、  
前記プレート回動軸は前記足載アームの延在方向に対して傾斜する角度が、車椅子の前後方向に対して平行に設けられてなる車椅子。
【請求項１１】
請求項１乃至１０の何れか一項に記載の車椅子であって、前記足載アームは、
後端を両側フレームに連結され、中間部で下方へ折曲された第一アーム部と、
前記第一アーム部の先端に後端を連結され、先端に前記足載プレートを連結した第二アーム部と、
前記第二アーム部を、前記第一アーム部を軸に軸回転可能に前記第一アーム部に連結する回転部と、を備える車椅子。
【請求項１２】
請求項１に記載の車椅子であって、前記足載アームは、
後端を両側フレームに連結された第一アーム部と、
前記第一アーム部の先端に後端を連結され、中間部で下方へ折曲され、先端部に前記足載プレートを連結した第二アーム部と、
前記第二アーム部を、前記第一アーム部を軸に軸回転可能に前記第一アーム部に連結する回転部と、を備える車椅子。
【請求項１３】
請求項１乃至１２の何れか一項に記載の車椅子であって、前記足載プレートのプレート展開姿勢において、左右の前記足載プレートの対向面の少なくとも一部が接触するように設けられてなる車椅子。
【請求項１４】
請求項１乃至１３の何れか一項に記載の車椅子であって、前記足載プレートの対向面に、互いに係合可能な第一係合部と第二係合部とを備える車椅子。
【請求項１５】
駆動車輪と、
その外側に前記駆動車輪を回転自在に連結している一対の両側フレームと、
前記一対の両側フレームの各々の、その外側であって前記駆動車輪よりも前方に設けられたアーム傾動軸に傾動可能に連結され、アーム伸展位置とアーム折畳位置に切り替え可能な足載アームと、
各足載アームの先端部にプレート回動軸を介して回動可能に連結され、その上面に足を載せることができる足載プレートと、
を備える車椅子であって、
両端を左右の前記足載プレートの先端と連結し、主面に足を載せることができる中間プレートを備え、
前記中間プレートは、
両端のうち一方が、左右の前記足載プレートのいずれか一方の先端に回動可能に連結され、
両端のうち他方に、連結された側とは反対側の足載プレートの先端と係合可能な係合部を設けており、
前記中間プレートと連結された前記足載プレートの上面に、前記中間プレートを嵌合して前記中間プレートを前記足載プレート内に収納可能とする溝部を備える車椅子。
【請求項１６】
請求項１５に記載の車椅子であって、
前記足載プレートの溝部内に凸部と、前記中間プレートの主面に前記凸部と嵌合する凹部を備える車椅子。
【発明の詳細な説明】
【技術分野】
【０００１】
本発明は足載台を折り畳みできる車椅子に関し、とくに、足載台を使用の邪魔にならないように折り畳みできる車椅子に関する。
【背景技術】
【０００２】
車椅子は、ユーザーが座部シートに座る状態で足を載せる足載台を設けている（特許文献１参照）。この車椅子は図２２に示すように、座部シート１０７の上方に座るユーザーが楽に足を載せることができるよう、座部シート１０７の下方に前方に突出するように、足載台１０８を設けている。足載台１０８は、足載アーム１４１の先端にプレート展開姿勢とプレート収納姿勢に傾動できるように足載プレート１４２を連結している。この構造の車椅子は、ユーザーが座部シート１０７に乗り降りするときに、足載プレート１４２をプレート収納姿勢とし、座部シート１０７に座る状態では、足載プレート１４２をプレート展開姿勢として足を載せるようにしている。この車椅子は、足を足載プレート１４２に載せて駆動車輪１０３を回転させて移動できる。この車椅子は、ユーザーが座って、例えば、台所の流し台や洗面台等に接近しようとすると、足載プレート１４２が流し台等に当たって接近できない。このため、無理な姿勢で流し台や洗面台などを使用する必要があった。本発明者は、この欠点を解消するために、図２３に示すように、足載アーム２４１を鉛直面内で傾動させて、足載プレート２４２を足載アーム２４１に連結している足載台２０８を折り畳みできる構造の車椅子を開発した。（特許文献２参照）
【先行技術文献】
【特許文献】
【０００３】
【特許文献１】特開２００９−０１１６９１号公報
【特許文献２】特開２０１３−０３４７８８号公報
【発明の概要】
【発明が解決しようとする課題】
【０００４】
図２３に示す車椅子は、足載アーム２４１を垂直方向に折り畳みして、前方に突出しない状態にできるので、ユーザーが座部シートに座った状態で流し台や洗面台などに接近して便利に使用できる特徴がある。しかしながら、この車椅子は足載アーム２４１が両側フレーム２０１の外側面に連結されているため、図２２のような従来の車椅子よりも左右の足載プレート２４２が離間してしまう問題があった。左右の足載プレート２４２が離間していると、足載プレート２４２の対向面の隙間が広がり、その隙間からユーザーが足を滑り落としてしまう虞がある。
【０００５】
本発明は、さらにこの欠点を解決することを目的に開発されたものである。本発明の目的は、左右の足載プレートの隙間から足が抜け落ちる虞を低減した車椅子を提供することである。
【課題を解決するための手段及び発明の効果】
【０００６】
以上の問題を解決するために、本発明の第１の車椅子は、駆動車輪と、その外側に駆動車輪を回転自在に連結している一対の両側フレームと、一対の両側フレームの各々の、その外側であって駆動車輪よりも前方に設けられたアーム傾動軸に傾動可能に連結され、アーム伸展位置とアーム折畳位置に切り替え可能な足載アームと、前記一対の両側フレームの各々の、その外側であって前記駆動車輪よりも前方に設けられたアーム傾動軸に傾動可能に連結され、アーム伸展位置とアーム折畳位置に切り替え可能な足載アームと、各足載アームの先端部にプレート回動軸を介して回動可能に連結され、その上面に足を載せることができる足載プレートと、を備え、足載アームは、アーム伸展位置における先端部同士の間隔を、アーム折畳位置における先端部同士の間隔よりも狭くしており、正面視において、前記アーム傾動軸の両端の内、車椅子の外側に位置する一端が、車椅子の内側に位置する他端よりも低い位置になるよう傾斜させて設けてなる。
【０００７】
以上の車椅子は、足載アームをアーム伸展位置としたとき、先端部同士を間隔を狭くすることで、プレート展開姿勢とされた足載プレート同士の間隔を狭くすることができ、車椅子のユーザが足載プレートに足を載せる際、足載プレート同士の隙間から足が抜け落ちる虞を低減することができる。また、アーム折畳位置においては、足載アームの先端部同士の間隔を広くして、ユーザの邪魔にならないよう足載プレートを収納できる。また、正面視においてアーム傾動軸を傾斜して設けることで、足載アームを伸展位置としたとき、左右の足載アームの先端部の間隔を、アーム折畳位置における先端部の間隔よりも狭くし、左右の足載プレートを接近させ、左右の足載プレートの隙間からユーザーが足を抜け落とす虞を低減することができる。
また、本発明の第２の車椅子は、足載アームとアーム傾動軸とが互いに交差し、この交差部を通りアーム傾動軸と直交する垂直面よりも、足載アームの先端部が内側に位置するように、足載アームが、アーム傾動軸に対して傾斜してアーム傾動軸に連結されてなる。
以上の車椅子は、アーム折畳位置においては、足載アームとアーム傾動軸との連結部を通るアーム傾動軸の垂直面よりも、足載アームが内側に位置するため、車椅子の横幅を狭くすることができる。さらに、アーム伸展位置においては、足載アームの先端部がアーム傾動軸の垂直面よりも内側に位置するため、足載アームの先端部に連結された足載プレートの隙間をより狭くし、左右の足載プレートの隙間からユーザーが足を抜け落とす虞をさらに低減することができる。
さらに、本発明の第３の車椅子は、正面視において、足載アームはアーム折畳位置で、直立姿勢になるように設けられてなる。
以上の車椅子は、アーム折畳位置で足載アームを直立姿勢になるので、足載アームやその先端に連結された足載プレートが座部スペースを圧迫したり、外側へ傾斜して嵩張ったりするのを防止することができる。
さらにまた、本発明の第４の車椅子は、前記アーム傾動軸が、前記車椅子の平面視において、前記車椅子の外側に位置する一端を、水平線に対し、前記車椅子の内側に位置する他端よりも前方に位置するように傾斜させて設けることができる。
さらにまた、本発明の第５の車椅子は、駆動車輪と、その外側に前記駆動車輪を回転自在に連結している一対の両側フレームと、前記一対の両側フレームの各々の、その外側であって前記駆動車輪よりも前方に設けられたアーム傾動軸に傾動可能に連結され、アーム伸展位置とアーム折畳位置に切り替え可能な足載アームと、各足載アームの先端部にプレート回動軸を介して回動可能に連結され、その上面に足を載せることができる足載プレートと、を備える車椅子であって、前記足載アームは、アーム伸展位置における先端部同士の間隔を、アーム折畳位置における先端部同士の間隔よりも狭くしており、前記アーム傾動軸が、前記車椅子の平面視において、前記車椅子の外側に位置する一端を、水平線に対し、前記車椅子の内側に位置する他端よりも前方に位置するように傾斜させて設けることができる。
以上の車椅子は、足載アームの先端が前方へ移動すると同時に、内側方向へ移動する。これにより、足載アームを前方へ傾動させる一動作だけで、足載アームの先端を内側へ移動させることができる。
【０００８】
さらにまた、本発明の第６の車椅子は、足載アームは、アーム伸展位置における前記足載アームの先端部が、その後端よりも車椅子の内側に位置するように設けられてなる。
【０００９】
以上の車椅子は、足載アームをアーム伸展位置としたとき、先端部を足載アームと両側フレームとの連結部よりも内側に位置させることで、プレート展開姿勢としたとき足載プレート同士の隙間を狭くし、足載プレートの隙間からユーザーの足が抜け落ちる虞を低減することができる。
【００１８】
さらにまた、本発明の第７の車椅子は、平面視において、アーム傾動軸の両端の内、車椅子の外側に位置する一端が、車椅子の内側に位置する他端よりも前方に位置するように両側フレームに対して傾斜して設けられてなる。
【００１９】
以上の車椅子は、平面視においてアーム傾動軸を傾斜して設けることで、足載アームを伸展位置としたとき、左右の足載アームの先端部の間隔を、アーム折畳位置における先端部の間隔よりも狭くし、左右の足載プレートの隙間からユーザーが足を抜け落とす虞を低減することができる。  
【００２０】
さらにまた、本発明の第８の車椅子は、アーム傾動軸が水平方向あるいは車椅子の前後方向に対する傾斜角が１°〜３０°に設けられてなる。
【００２１】
以上の車椅子は、アーム傾動軸を１°〜３０°傾斜させることで、足載アームのアーム伸展位置において足載プレートの対向面を近接させることができる。
【００２２】
さらにまた、本発明の第９の車椅子は、足載アームは、足載プレートを回動可能に足載アームに連結するプレート回動軸を備え、プレート回動軸が、平面視において、足載アームの延在方向に対して、車椅子の前後方向に傾斜してなる。
【００２３】
以上の車椅子は、足載アームの延在方向からプレート回動軸を車椅子の前後方向に傾斜することで、座部から見て、展開姿勢の左右の足載プレートの先端側の手前方向への傾きを小さくすることができる。
【００２４】
さらにまた、本発明の第１０の車椅子は、足載プレートが平面視において矩形状に形成され、プレート回動軸が足載アームの延在方向に対して傾斜する角度に対して平行に設けられてなる。
【００２５】
以上の車椅子は、足載プレートの対向面が平行となるため、対向面の隙間を均一にすることができる。また、プレート展開姿勢の左右の足載プレートが直列し、座部から見て前後方向に傾かないようにすることができ、ユーザーは安定して足載台に足を載せることができる。
【００２６】
さらにまた、本発明の第１１の車椅子は、後端を両側フレームに連結され、中間部で下方へ折曲された第一アーム部と、第一アーム部の先端に後端を連結され、先端に足載プレートを連結した第二アーム部と、第二アーム部を、第一アーム部を軸に軸回転可能に第一アーム部に連結する回転部と、を備える。
【００２７】
以上の車椅子は、足載アームのアーム伸展位置において、第二アーム部を第一アーム部に対して軸回転することで、左右の足載プレートが直列に並ぶように足載プレートの角度を調整することができる。一方で、足載アームのアーム折畳位置において、第二アーム部をアーム伸展位置とは反対側へ軸回転し、足載プレートを足載アームの傾動方向の垂直面に対して略平行とすることで、平面視における足載プレートの横幅方向の占有領域を狭くしてコンパクトに収納することができる。
【００２８】
さらにまた、本発明の第１２の車椅子は、足載アームは、後端を両側フレームに連結された第一アーム部と、第一アーム部の先端に後端を連結され、中間部で下方へ折曲され、先端部に足載プレートを連結した第二アーム部と、第二アーム部を、第一アーム部を軸に軸回転可能に第一アーム部に連結する回転部と、を備える。
【００２９】
以上の車椅子は、第二アーム部の先端が内側へ向かうように軸回転させることで、足載プレートのプレート展開姿勢時において、左右の足載プレートの先端が近接し、左右の足載プレートの隙間から足が抜け落ちる虞を効果的に低減している。さらに、足載アーム全体が鉛直方向になるように第二アーム部を軸回転させた状態にして後方へ傾動することで、足載アーム及び足載プレートが嵩張らないように足載台を収納することができる。
【００３０】
さらにまた、本発明の第１３の車椅子は、足載プレートのプレート展開姿勢時において、左右の足載プレートの対向面の少なくとも一部が接触する。
【００３１】
以上の車椅子は、左右の足載プレートの対向面の一部が接触しているため、左右の足載プレートの隙間から車椅子に座るユーザーの足が抜け落ちる虞を低減している。
【００３２】
さらにまた、本発明の第１４の車椅子は、足載プレートの対向面に、互いに係合可能な第一係合部と第二係合部とを備える。
【００３３】
以上の車椅子は、左右の足のプレートを係合することで、足載アームや足載プレートに横方向の力が加わったり、車椅子に振動が加えられたりしても、左右の足載プレートの連結が維持される。それにより、不意に足載プレートの隙間が開き、開いた隙間からユーザーが足を抜け落とす虞を低減している。
【００３４】
さらにまた、本発明の第１５の車椅子は、駆動車輪と、その外側に駆動車輪を回転自在に連結している一対の両側フレームと、一対の両側フレームの各々の、その外側であって駆動車輪よりも前方に設けられたアーム傾動軸に傾動可能に連結され、アーム伸展位置とアーム折畳位置に切り替え可能な足載アームと、各足載アームの先端部にプレート回動軸を介して回動可能に連結され、その上面に足を載せることができる足載プレートと、を備える車椅子であって、両端を左右の足載プレートの先端と連結し、主面に足を載せることができる中間プレートを備え、前記中間プレートは、両端のうち一方が、左右の前記足載プレートのいずれか一方の先端に回動可能に連結され、両端のうち他方に、連結された側とは反対側の足載プレートの先端と係合可能な係合部を設けており、前記中間プレートと連結された前記足載プレートの上面に、前記中間プレートを嵌合して前記中間プレートを前記足載プレート内に収納可能とする溝部を備える。
【００３５】
以上の車椅子は、中間プレートによって左右の足載プレートを連結することで、左右の足載プレートを一体の足載プレートとして利用することができる。また、左右の足載プレートの間の隙間が中間プレートによって閉塞されるため、左右の足載プレートの隙間から足が抜け落ちる虞を低減している。また、足載プレートに連結された中間プレートを回動することで、左右の足載プレートを連結することができる。さらに、連結された側と反対側の一端は、足載プレートの先端に設けられた係合部と連結することができる。さらに、中間プレートを使用しない際や足載アームを後方へ傾動する際には、中間プレートを足載プレート内に収納することで、中間プレートが邪魔にならないようにすることができる。
【００４０】
さらにまた、本発明の第１６の車椅子は、足載プレートの溝部内に凸部と、中間プレートの主面に凸部と嵌合する凹部を備える。
【００４１】
以上の車椅子は、足載プレートに設けられた凸部により、足を溝部内に落とすのを防ぐことができる。さらに、中間プレートに凸部と嵌合する凹部が設けられているため、中間プレートを足載プレートに収納する際に、凸部が収納を妨げることなく、中間プレートを収納することができる。
【図面の簡単な説明】
【００４２】
【図１】本発明の一実施形態に係る車椅子の斜視図である。
【図２】図１に示す車椅子の側面図である。
【図３】図２の足載アームをアーム折畳位置に傾動した状態を示す側面図である。
【図４】本発明の一実施形態に係る車椅子の正面図である。
【図５】図４の足載アームをアーム伸展位置に傾動した状態を示す正面図である。
【図６】図１に示す車椅子の平面図である。
【図７】図１に示す車椅子の要部拡大正面図である。
【図８】本発明の別の実施形態に係る車椅子の平面図である。
【図９】図８の足載アームをアーム折畳位置に傾動した状態を示す平面図である。
【図１０】本発明の変形例を示す平面図である。
【図１１】本発明の変形例を示す平面図である。
【図１２】本発明の変形例を示す正面図である。
【図１３】本発明の他の実施形態に係る車椅子の要部拡大図である。
【図１４】図１３に示す車椅子の平面図である。
【図１５】本発明の他の実施形態に係る足載アームの要部拡大断面図である。
【図１６】本発明の他の実施形態に係る車椅子の要部拡大図である。
【図１７】図１６に示す車椅子の正面図である。
【図１８】本発明の他の実施形態に係る車椅子の平面図である。
【図１９】図１８に示す車椅子の要部拡大図である。
【図２０】図１９に示す中間プレートを収納した状態を示す斜視図である。
【図２１】本発明の変形例を示す斜視図である。
【図２２】従来の車椅子を示す斜視図である。
【図２３】本発明者が先に開発した車椅子の斜視図である。
【発明を実施するための形態】
【００４３】
以下、本発明の実施例を図面に基づいて説明する。ただし、以下に示す実施例は、本発明の技術思想を具体化するための車椅子を例示するものであって、本発明は車椅子を以下のものに特定しない。また、本明細書は特許請求の範囲に示される部材を、実施形態の部材に特定するものでは決してない。特に実施形態に記載されている構成部品の寸法、材質、形状、その相対配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部品を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００４４】
なお、本明細書及び特許請求の範囲において、水平、鉛直、垂直、平行という言葉を用いているが、これらは必ずしも厳密に水平、鉛直、垂直あるいは平行であることに特定する意図ではない。以上の言葉は、これらの状態から僅かに傾斜した状態も含んだ意味で用いている。
（実施形態１）
【００４５】
図１は本実施形態１の車椅子を示す斜視図である。図１に示す車椅子は、外側に駆動車輪３を連結している一対の両側フレーム１と、一対の両側フレーム１を連結すると共に、上端に座部フレーム６を連結している折畳リンク２と、この折畳リンク２の座部フレーム６に連結している可撓性の座部シート７と、両側フレーム１の前部に連結されて、水平面内で方向を変化できる自在小車輪４と、両側フレーム１に連結している足載台８とを備える。この足載台８は、プレート展開姿勢で上面に足を載せる足載プレート４２と、この足載プレート４２を両側フレーム１に連結している足載アーム４１とを備える。この車椅子は、一対の両側フレーム１を、折畳リンク２で折り畳みできるように連結している。この車椅子は、両側の両側フレーム１を互いに接近させるように折畳リンク２を折り畳みして、横幅を狭くできるようにしている。
（両側フレーム１）
【００４６】
図２は図１の車椅子の側面図である。図２に示す車椅子の両側フレーム１は、上面に肘当て２０を有する水平姿勢の肘当てフレーム１２と、この肘当てフレーム１２の後端部に連結している上下フレーム１４と、この上下フレーム１４の下端部に連結している水平姿勢の下フレーム１１とを備える。さらに、両側フレーム１は、肘当てフレーム１２の下方に、プレート収納姿勢の足載プレート４２を収納する収納スペース１８を設けている。
【００４７】
また、図２の車椅子の両側フレーム１は、肘当てフレーム１２と下フレーム１１との中間に水平姿勢の中間フレーム１５を設けている。中間フレーム１５は、後端を上下フレーム１４の中間に連結すると共に、前端を下方向に配設された前フレーム１３によって下フレーム１１に連結している。図の中間フレーム１５は、先端部を下方に折曲して前フレーム１３としている。
（足載台連結フレーム１６）
【００４８】
図１の車椅子の両側フレーム１は、中間フレーム１５の前部と前フレーム１３に形成された隅部に配設される足載台連結フレーム１６を備える。図の足載台連結フレーム１６は中間部で折曲されたＬ字状の部材である。図の足載台連結フレームは、一端が中間フレーム１５の前部に連結され、他端が前フレーム１３の中間部に連結される。この足載台連結フレーム１６の外側面に、足載アーム４１が連結される。図の足載台連結フレーム１６は、図４に示す正面図のように、中間フレーム１５や前フレーム１３よりも外側へ向けて突出するように設けられる。さらにこの足載台連結フレーム１６の折曲部から後方に向けて、駆動車輪３を停止するためのブレーキ３７を取り付けるブレーキフレーム１７が連結される。
（足載台８）
【００４９】
図１の車椅子は座部５の前方に一対の足載台８を備えている。足載台８は、ユーザーが座部５に座った際に足を載せる台である。この足載台８は、両側フレーム１の外側面に連結された足載アーム４１と、この足載アーム４１の先端部に設けられた足載プレート４２とを備える。図の足載台８は、足載アーム４１の先端を鉛直面内で前後方向に傾動できるように、足載アーム４１の後端をアーム傾動軸４３を介して足載台連結フレーム１６に連結しており、垂直に立てて折り畳めるようにしている。図２は足載台８を前方に位置させた状態を示す側面図である。この足載台８は、使用時には、図２に示すように足載アーム４１を前方へ傾動させることで、足載アーム４１の先端側が両側フレーム１の前方に位置するアーム伸展位置に傾動させることができる。また、図３は足載台８を折り畳んだ状態を示す側面図である。車椅子の左右方向への折り畳み時や足載台８を退避させたいときは、図３に示すように足載アーム４１を前フレーム１３よりも後方へ収納するアーム折畳位置にすることができる。足載アーム４１をアーム折畳位置にすることで、足載プレート４２は収納スペース１８に収納される。このように、足載台８を折り畳みできる構造は、車椅子を一対の両側フレーム１を接近させる方向に折り畳んで収納する際に、よりコンパクトに折り畳みできる。
【００５０】
図４および図５は図１に示す車椅子の正面図である。図６は図１に示す車椅子の平面図である。図７は図１に示す車椅子の要部拡大正面図である。図４に示すように、この車椅子は、足載台連結フレーム１６の外側面に、足載アーム４１を前後に傾動可能に連結している。さらにこの足載アーム４１の先端部には、プレート展開姿勢で上面に足を載せることができる足載プレート４２を連結している。図５の車椅子は足載アーム４１をアーム伸展位置にし、足載プレート４２に足を載せられるように、足載プレート４２の上面を水平姿勢とするプレート展開姿勢にしている。足載アーム４１をアーム折畳位置に傾動する際には、図４に示すように、プレート回動軸４６を軸に回動させることで、足載プレート４２を鉛直姿勢とするプレート収納姿勢にし、折り畳みの邪魔にならないようにすることができる。さらに図の足載台８は、足載アーム４１の先端部と足載プレート４２の先端に渡って、足載プレート４２に載せた足を滑り落ちないように保持するための支持帯４７を配設している。
（アーム傾動軸４３）
【００５１】
アーム傾動軸４３は足載アーム４１を、前後方向に傾動可能に足載台連結フレーム１６に連結している軸部である。図７はこのアーム傾動軸４３の周辺を示す要部拡大図である。正面視において、アーム傾動軸４３は水平線ＨＬから傾斜して設けられている。図のアーム傾動軸４３は車椅子の外側に位置する一端が、車椅子の内側に位置する他端よりも低い位置になるように、上下方向に傾斜している。このアーム傾動軸４３を両側フレーム１の水平線ＨＬから傾斜させる角度を傾斜角αとする。この傾斜角αは１〜３０°とすることができる。好ましくは３〜２０°とすることができる。さらに好ましくは５〜１５°とすることができる。このように、アーム傾動軸４３を傾斜させることで、図７の破線部分に示すように足載アーム４１をアーム伸展位置にした際に、足載アーム４１の先端部が車椅子の内側へ向かうようにしている。足載アーム４１の先端部が内側へ向かうことで、左右の足載アーム４１の先端部にそれぞれ連結された足載プレート４２同士の隙間を狭くすることができる。特に、傾斜角αを５〜１５°とすることで、左右の足載プレート４２を互いに十分に接近させながらも、左右の足載アーム４１の先端部の間隔を狭すぎないようにし、足載プレート４２を配置するスペースを十分に確保することができる。
（足載アーム４１）
【００５２】
図１に示す車椅子の足載アーム４１はロッド状の部材である。図２に示すように、足載アーム４１をアーム伸展位置に傾動した際に、先端部が下方へと向かうように中間部で湾曲している。ただ、足載アーム４１を湾曲させるのは必須ではなく、直線状としてもよいし、あるいは折曲してもよい。足載アーム４１は、前後方向を含む鉛直面内で折り畳みできるように、後端部をアーム傾動軸４３を介して足載台連結フレーム１６の外側面に連結している。また、足載アーム４１の先端部にはユーザーが足を載せる足載プレート４２が回動可能に連結される。足載アーム４１は、図５に示すアーム伸展位置において、図４に示すアーム折畳位置よりも、先端部が互いに接近するようにしている。
【００５３】
足載アーム４１は、図７の要部拡大図に示すように後端部がアーム傾動軸４３に交差して連結されている。足載アーム４１はアーム傾動軸４３に対して傾斜するように連結されている。図の車椅子は、足載アーム４１とアーム傾動軸４３との交差部４９を通るアーム傾動軸４３と直交する垂直面ＶＰよりも、足載アーム４１の先端部が車椅子の内側に位置するように、足載アーム４１がアーム傾動軸４３に対して傾斜して設けられている。このアーム傾動軸４３に対する足載アーム４１の角度を傾斜角θとする。この傾斜角θは、足載アーム４１が前後に傾動しても常に一定な角度である。この傾斜角θは、３０°以下とすることができる。好ましくは、傾斜角θが傾斜角αと等しくなるように設けられる。後述するが、アーム折畳位置において、足載アームを直立姿勢にすることができるからである。
【００５４】
ここで、アーム傾動軸４３は前述のように、平面視において両端のうち、車椅子の内側の一端が、外側の他端よりも高い位置になるように、水平線ＨＬに対して傾斜角αだけ上下方向に傾斜して設けられている。これにより、アーム傾動軸４３に直交する垂直面ＶＰは、上側が車椅子の外側へ向かい、下側が車椅子の内側に向かうように鉛直方向から傾斜角αだけ傾いている。従来の車椅子のようにアーム傾動軸４３に対して足載アームを垂直に連結すると、足載アームはこの垂直面ＶＰ上で傾動するため、足載アームを前方へ傾動するにつれて、足載アームの先端部は車椅子の内側へと向かう。しかしながら、上側へと傾動すると、足載アームの先端部は車椅子の外側へと向かってしまう。すなわち、アーム折畳位置では、先端部が外側へと向かってしまい、車椅子の横幅が広くなり、狭い場所を通過する妨げとなったり、収納時に嵩張ってしまう虞がある。
【００５５】
一方で実施形態１の車椅子は、図７の要部拡大図に示すように、足載アーム４１が垂直面ＶＰから、傾斜角θだけ傾斜するように、足載アーム４１がアーム傾動軸４３に対して傾斜して交差している。これにより、足載アームをアーム傾動軸に対して垂直に連結した場合と比較して、アーム折畳位置において、足載アーム４１は車椅子のより内側に位置する。これにより、車椅子の横幅が広くならないようにしている。さらに、実施形態１の車椅子は、アーム伸展位置においても、足載アーム４１とアーム傾動軸４３との連結部を通過するアーム傾動軸４３の垂直面ＶＰよりも傾斜角θだけ傾斜し、足載アーム４１の先端部がアーム傾動軸４３の垂直面ＶＰよりも内側に位置している。そのため、足載アームをアーム傾動軸に対して垂直に連結した場合と比較して、足載アーム４１の先端部を、より車椅子の内側に位置させることができる。これにより、左右の足載アーム４１の先端部に設けられた各々の足載プレート４２をより互いに接近させることができ、足載プレート４２同士の隙間を狭くし、車椅子のユーザーが足載プレート４２の隙間から足を抜け落とす虞を低減している。
【００５６】
以上のように、アーム傾動軸４３を水平線ＨＬから上下方向に傾斜させ、さらに足載アーム４１をアーム傾動軸４３の垂直面ＶＰから車椅子の内側方向に傾斜させる構造は、図４に示すような足載アーム４１の折畳位置においては、足載アーム４１が外向きに飛び出て車椅子の横幅が広くなるのを防止しつつも、図５に示すような足載アーム４１のアーム伸展位置においては、足載アーム４１の先端部をより内側に位置させることを両立させることができる。
【００５７】
また、図７に示すように、車椅子は、足載アーム４１のアーム折畳位置において、アーム伸展位置よりも左右の足載アーム４１の先端部の間隔が広がるようにしている。これにより、足載プレート４２を収納姿勢にし、足載アーム４１をアーム折畳位置に傾動した際に、足載プレート４２や足載アーム４１が座部に座るユーザーの邪魔にならないようにできる。また、図の車椅子は、正面視において、アーム折畳位置で両端部が同一鉛直線上に位置する直立姿勢になるように設けられている。図の車椅子は足載アーム４１の傾斜角θを傾斜角αと等しくすることで、足載アーム４１を直立姿勢にしている。このように足載アーム４１を直立姿勢にすることで、足載アーム４１をアーム折畳位置に傾動した際に、足載アーム４１や足載プレート４２が車椅子の内側へ傾いて座部スペースを圧迫したり、あるいは車椅子の外側へ傾いて車椅子の収納時に嵩張ったりするのを防止している。好ましくは、アーム折畳位置に傾動した足載アーム４１が、駆動車輪３の外側面に設けられたグリップリング３５よりも内側に位置する。車椅子の横幅を狭くし、狭い場所を通過しやすくしたり、折り畳んだ際にコンパクトにすることができるからである。また、アーム折畳位置における足載アーム４１を直立姿勢にすることで、折り畳みリンク２により車椅子を、両側フレーム１が互いに接近する方向に折り畳む際に、左右の足載アーム４１及び足載プレートが互いに干渉しないようにし、車椅子をよりコンパクトに折り畳むことができる。ただ、必ずしも傾斜角θと傾斜角αを等しくする必要はない。足載アーム４１の先端部が垂直面ＶＰよりも内側になるように傾斜させると、アーム伸展姿勢に傾動した際に、左右の足載アーム４１の先端部が互いに接近するようにすることができる。
【００５８】
図５は、図４に示す足載アーム４１をアーム伸展位置に傾動した正面図を示す。以上のようにアーム傾動軸４３を両側フレーム１に対して傾斜させ、さらに足載アーム４１をアーム傾動軸４３に対して傾斜させる構造により、足載アーム４１はアーム伸展位置において、図５に示すように、先端部が車椅子の内側へ向かうように傾動する。図に示す足載アーム４１は、足載台連結フレーム１６に連結される後端側よりも、先端側が内側に位置している。それにより、左右の足載アーム４１の先端部にそれぞれ連結された足載プレート４２同士の間隔を狭くし、車椅子を利用するユーザーが、この足載プレート４２の隙間から足を抜け落とす虞を効果的に低減している。
【００５９】
また、以上のような構造にすることで、車椅子は、図４に示すアーム折畳位置から図５に示すアーム伸展位置に切り換える際に、足載アーム４１を前方へ傾動させるだけで、この傾動に合わせて、足載アーム４１を、直立姿勢から先端部が車椅子の内側へ向かう姿勢にすることができる。また、アーム伸展位置からアーム折畳位置へと切り換える際にも、足載アーム４１を後方へ傾動するだけで、足載アーム４１の先端部が内側へ向かった状態から直立姿勢にすることができる。これにより、車椅子のユーザーは、単一かつ簡単な動作だけで、足載台８を利用または収納することができる。
（足載プレート４２）
【００６０】
図４及び図５に示すように足載プレート４２は、プレート収納姿勢とプレート展開姿勢とに切り換えられるように、プレート回動軸４６を介して足載アーム４１の先端に連結している。この足載プレート４２は、図５に示すように足載アーム４１のアーム伸展位置において、足載プレート４２をプレート展開姿勢にすることで上面に足を載せることができる。また、足載プレート４２は、図４に示すように足載アーム４１のアーム折畳位置にする際には、収納の妨げとならないように、足載プレート４２を鉛直姿勢のプレート収納姿勢に折り畳むことができる。図１に示す足載プレート４２は、全体の形状を板状とすると共に、その後端部には、足載アーム４１に連結しているプレート回動軸４６を保持するプレート軸受部４２Ａを設けている。また、図１に示す足載プレート４２は、プレート展開姿勢に保持されるように、足載アーム４１の先端部を案内して所定の角度で停止させるストッパ溝４２Ｂを、後端部を切欠して設けている。この足載プレート４２は、プレート回動軸４６を中心として回動させて、展開する状態では、足載アーム４１の先端がストッパ溝４２Ｂの内面に当接してプレート展開姿勢で停止される。さらに、足載プレート４２は、プレート収納姿勢に折り畳む状態では、図４に示すように足載プレート４２の上面を足載アーム４１に面するように所定のプレート収納姿勢で停止される。この足載プレート４２は、足載アーム４１の先端部が内側へ向かって傾斜して設けられているため、プレート展開姿勢において、図２３に示す従来の車椅子と比較して、左右の足載プレート４２が互いに近接している。すなわち、左右の足載プレート４２同士の隙間が狭くし、ユーザーがこの隙間から足を滑り落とす虞を解消している。また、この足載プレート４２の先端部には、支持帯４７を先端に巻き付けるためのスリット部４２Ｃを設けている。
【００６１】
図５に示すように、足載プレート４２は足載アーム４１を車椅子の両側フレーム１に連結するアーム傾動軸４６を傾斜して設けることで、左右の足載プレート４２の間の隙間を狭くしている。例えば、この足載プレート４２の隙間は５ｃｍ以内とすることができる。好ましくは、３ｃｍ以内とする。さらに好ましくは１ｃｍ以内とする。左右の足載プレート４２の隙間を狭くすることで、この隙間から車椅子の座部に座るユーザーの足が抜け落ちる虞を効果的に低減することができる。
（プレート回動軸４６）
【００６２】
プレート回動軸４６は足載プレート４２を、回動可能に足載アーム４１の先端部に連結する軸部である。図６に図１の車椅子の平面図を示す。図６に示すように、プレート回動軸４６は足載アーム４１の延在方向に対して、傾斜して設けられている。図のプレート回動軸４６は、軸方向が車椅子の前後方向になるようにしている。このプレート回動軸４６の足載アーム４１の延在方向に対する角度を傾斜角βとする。プレート回動軸４６を傾斜させることで、図の車椅子は、足載プレート４２の平面形状が矩形状であっても、左右の足載プレート４２の隙間を対向面の全面に渡って間隔を均一に近づけることができ、ユーザーの足が抜け落ちる懸念を低減している。また、プレート回動軸４６を傾斜させることで、座部方向から見て足載プレート４２の先端側の手前側への傾きを小さくすることができる。この傾斜角βは例えば３０°以下とすることができる。この傾斜角βは、プレート回動軸４６が車椅子の前後方向に対して平行になるように角度を決定することが好ましい。また、さらに好ましくは左右のプレート回動軸４６は、車椅子の前後方向に対し平行となるように設けられる。図６に示す平面図のように、足載プレートの平面形状を矩形状としながらも、左右の足載プレート４２の対向面を平行にし、足載プレート４２の隙間を一定な間隔とすることができるからである。また、左右の足載プレート４２が直列し、座部から見て手前または奥側に傾かないようにすることができ、ユーザーは安定して足載台に足を載せることができる。左右のプレート回動軸４６が互いに平行になる具体的な傾斜角βは、アーム傾動軸４６の傾斜角αや足載アーム４１の長さや形状等を考慮して定めることができる。ただ、プレート回動軸４６は必ずしも足載アーム４１の延在方向に対して傾斜して設ける必要はない。後述するが足載プレートの形状により、左右の足載プレート同士の間の間隔を対向面の全面に渡って一定にすることができる。
（支持帯４７）
【００６３】
図１に示す足載台８は、足載プレート４２に載せた足を保持する支持帯４７を備えている。図に示す支持帯４７は、可撓性を有する帯状のバンドで、一端を足載アーム４１の先端部に連結している。また、他端をスリット部４２Ｃを通じて足載プレート４２の先端に巻き付けて連結している。この支持帯４７は、足載アーム４１の先端部と足載プレート４２の先端との間に渡って配設されて、足載プレート４２に載せられる足が足載プレート４２から落ちないように保持する。ユーザーは足載プレート４２に足を載せた状態で支持帯４７に踵を当接することで、足載プレート４２から後方へ足を滑り落ちないようにすることができる。この支持帯４７は面ファスナー等によって着脱可能な形態としてもよい。また、支持帯４７を左右の足載アーム４１の間に渡って配設し、一つの支持帯４７により両足を保持する形態としてもよい。ただ、この支持帯４７は必須ではなく省略することもできる。
【００６４】
以上の足載台８は図６に示すように、足載プレート４２をプレート展開姿勢からプレート収納姿勢に折り畳む状態で、足載アーム４１を後方へ傾動することで、足載プレート４２が収納スペース１８に収納される。これにより、足載アーム４１及び足載プレート４２が収納スペース１８に収まり、前フレーム１３よりも前方へと突出しないように収納される。
【００６５】
また、以上の足載台８は、平面視においてアーム伸展位置にある足載アーム４１の先端部が両側フレーム１との連結部より内側へ位置しており、左右の足載プレート４２の隙間を、図２３に示すような従来の車椅子よりも狭くしている。これにより、この足載プレート４２の隙間から足が抜け落ちる虞を低減することができる。また、この足載アーム４１を連結するプレート回動軸４３を両側フレーム１の垂直方向から傾斜して設けることで、アーム折畳位置では、足載アーム４１を両側フレーム１よりも外側へ位置させ、かつ直立姿勢にすることで、車椅子の折り畳みを妨げないようにすることができる。さらに、アーム伸展位置へ移行する際には、足載アーム４１を前方へ傾動すると同時に、足載アーム４１の先端部が内側へ向かうため、一動作で足載アーム４１をアーム伸展位置に傾動させつつ、左右の足載プレート４２の隙間を接近させることができる。さらにまた、足載プレート４２を従来と同じ長さにしたまま、先端を近接させることで、足載アームを後方へ傾動した際に、足載プレート４２が嵩張ったり、他の部材に干渉して傾動を妨げる懸念がない。
（位置決ストッパ４４）
【００６６】
また、図１に示す車椅子は、足載アーム４１の傾動範囲を特定する位置決めストッパ４４を備えている。図の足載アーム４１は位置決めストッパ４４を介して足載台連結フレーム１６に連結されている。この位置決ストッパ４４は、前後方向に傾動する足載アーム４１を、アーム伸展位置とアーム折畳位置において所定の位置で停止させる。図に示す位置決めストッパ４４は、中間部にアーム傾動軸４３が設けられるアーム軸受部４４Ｃを設けている。また、図のアーム軸受部４４Ｃの前方側に、足載アーム４１をアーム伸展位置で停止させる第一のストッパ部４４Ａを備える。さらに、図の位置決ストッパ４４は足載アームをアーム折畳位置で停止させる第二のストッパ部４４Ｂを備える。図に示す位置決ストッパ４４は、第一のストッパ部４４Ａと第二のストッパ部４４Ｂにそれぞれ、足載アーム４１を保持する保持溝４５を備えている。図の位置決ストッパ４４は、足載アーム４１をアーム伸展位置で停止させる第一の保持溝４５Ａと、足載アーム４１をアーム折畳位置で停止させる第二の保持溝４５Ｂとを備えている。位置決ストッパ４４は、第一の保持溝４５Ａと第二の保持溝４５Ｂの傾斜角を調整して足載アーム４１を所定の位置で停止できるようにしている。
【００６７】
第一の保持溝４５Ａは、図２に示すように、側面視において前端側が下方へ向かうように傾斜している。さらに、図４に示すように、正面視において、前端側が内側へ向かうように傾斜している。これにより、図５示すように、足載アーム４１を前方へ傾動した際に、足載アーム４１の先端側が車椅子の内側へ向かう姿勢で足載アーム４１を停止させることができる。
【００６８】
また、第二の保持溝４５Ｂは、図２に示すように、側面視において、上端側が後方へ向かうように傾斜している。さらに、図５に示すように、正面視において、鉛直方向に設けられている。これにより、図４に示すように足載アーム４１を後方へ傾動した際に、前フレームに対して平行な直立姿勢で足載アーム４１を停止させることができる。
【００６９】
以上の保持溝４５は、足載アーム４１をそれぞれアーム伸展位置とアーム折畳位置とで停止させた際に、保持溝４５を形成する内壁面を足載アーム４１に当接して、図４および図５における左右方向へ足載アーム４１が動かないように安定的に保持している。
【００７０】
以上の位置決ストッパ４４は、両側フレーム１の外側に固定される。図１に示す位置決ストッパ４４は中間部がアーム傾動軸４３によって足載台連結フレーム１６に連結される。アーム傾動軸４３は、位置決めストッパ４４を足載台連結フレーム１６に固定すると同時に、位置決めストッパ４４に配置される足載アーム４１を傾動自在に連結している。また、図の位置決ストッパ４４は、前方部を前フレーム１３に連結し、所定の角度で安定的に固定される。図の位置決ストッパ４４は、中間部を連結している足載台連結フレーム１６が前フレーム１３より外側に突出していることで、平面視において前方部が内側へ向かうように設けられる。
【００７１】
ただ、位置決めストッパ４４の形状は以上に限定されない。例えば、足載アーム４１をアーム伸展位置とアーム折畳位置とに切り換える際に、足載アーム４１の一部と位置決めストッパ４４の一部が干渉しないように位置決めストッパ４４の一部を切欠いてもよい。
（背もたれシート１０）
【００７２】
また図１に示す車椅子は、座部５の背面に位置して背もたれシート１０を配設している。この背もたれシート１０は、両側を左右の上下フレーム１４に連結している。この背もたれシート１０は、一対の両側フレーム１が左右に開かれる状態で、平面状に拡開されて、座部５に座るユーザーの背もたれとなる。さらに、背もたれシート１０は、一対の両側フレーム１を互いに接近させる状態では、折り畳まれるようにしている。
（ブレーキフレーム１７）
【００７３】
図１に示すブレーキフレーム１７はＬ字状の平板材で、一端が足載台連結フレーム１６の中間部に連結され、他端が中間フレームの中間部に連結される。図１に示すブレーキフレーム１７は、上端から中間部までが中間フレーム１５の同一面内に配置され、前端部が外側へ折曲して足載台連結フレーム１６の中間部に連結される。このブレーキフレーム１７の外側面には、駆動車輪３を停止させるためのブレーキ３７が連結される。
（ブレーキ３７）
【００７４】
図１に示す車椅子は、駆動車輪３の回転を停止させるためのブレーキ３７を備える。ブレーキ３７は足載台連結フレーム１６の後部に連結されたブレーキフレーム１７の外側であって、駆動車輪３の前方に設けられる。図に示すブレーキ３７は、前後に傾動できるように設けられた操作レバー部３７Ａと、この操作レバー部３７Ａを操作して駆動車輪３の表面に押圧される制動用の押圧部３７Ｂとを備える。このブレーキ３７は、操作レバー部３７Ａを前方または後方に傾動することで、押圧部３７Ｂが駆動車輪３の表面を押圧して、駆動車輪３を停止した状態に保つことができる。
（グリップリング３５）
【００７５】
さらに図１に示す車椅子は、駆動車輪３の外側面にグリップリング３５を備える。グリップリング３５は、座部５に座った状態で、駆動車輪３を回転させるための手動リングで、車椅子全体における左右方向に固定される。
【００７６】
以上、実施形態１の説明をした。ただ、実施形態１の足載アーム４１は、正面視においてアーム傾動軸４３を両側フレーム１の垂直方向に対して傾斜させることで、アーム伸展位置において、左右の足載アーム４１の先端部をアーム折畳位置よりも接近させているが、足載アームの先端部を互いに接近させる方法は以上に特定されない。以下に、アーム傾動軸を実施形態１とは異なる方向に傾斜させた実施形態２の説明をする。
（実施形態２）
【００７７】
図８に実施形態２の車椅子の平面図を示す。図に示す車椅子は、両側フレーム１の外側面にアーム傾動軸４３を介して足載アーム４１を連結している。足載アーム４１は、アーム折畳位置とアーム伸展位置とに傾動して切り換えることができる。
（アーム傾動軸４３）
【００７８】
アーム傾動軸４３は、図８の平面図に示すように、車椅子の前後方向に傾斜して設けられている。図のアーム傾動軸４３は、両端の内、車椅子の外側の一端が、内側の他端よりも前方に位置するように傾斜している。このアーム傾動軸４３の両側フレーム１の垂直方向に対する角度を傾斜角γとする。この傾斜角γは１〜３０°とすることができる。好ましくは５〜２０°とすることができる。さらに好ましくは１０〜１５°とすることができる。傾斜角γを１０〜１５°とすることで、足載アーム４１をアーム伸展位置傾動させた際に、左右の足載アーム４１の先端部に連結された足載プレート４２を十分に接近させながらも、左右の足載アーム４１の間隔が狭くなりすぎないようにし、足載プレート４２を配置するスペースを十分に確保している。なお、図示しないが、アーム傾動軸４３は水平方向に設けられている。
（プレート回動軸４６）
【００７９】
プレート回動軸４６は、実施形態１と同様に、軸方向が足載アーム４１の延在方向から車椅子の前後方向へ向けて傾斜している。このプレート回動軸の足載アーム４１の延在方向に対する角度を傾斜角δとする。この傾斜角δは例えば３０°以下とすることができる。この傾斜角δは傾斜角γと等しくすることが好ましい。傾斜角γと傾斜角δとを等しくすることで、左右の足載プレート４２の対向面を平行とし、足載プレート４２の隙間を一定の間隔とすることができるからである。また、左右の足載プレートが直列し、座部から見て手前または奥側に傾かないようにすることができ、ユーザーは安定して足載台に足を載せることができる。
【００８０】
以上の車椅子は図に示すように、アーム傾動軸４３を傾斜させることで、足載アーム４１のアーム伸展位置において、足載アーム４１の先端部は車椅子の内側へ向かうように設けられている。これにより、左右の足載アーム４１の先端部にそれぞれ連結された足載プレート４２を実施形態１と同様に近接させることができる。これにより、実施形態２の車椅子は左右の足載プレート４２同士の間の隙間を狭くし、この隙間から車椅子の座部スペースに座るユーザーの足が抜け落ちる虞を効果的に低減することができる。
【００８１】
また、図９は図８に示す足載アーム４１をアーム折畳位置に折り畳んだ状態を示す平面図である。図の足載アーム４１は、アーム傾動軸４３を車椅子の前後方向に傾斜して設けることで、アーム折畳位置に折り畳んだ際に、足載アーム４１が両側フレーム１の鉛直面内よりも外側に位置するようにしている。これにより、アーム折畳位置に足載アーム４１を傾動させた際に、足載アーム４１や足載プレート４２により、座部スペースを圧迫したり、車椅子を一対の両側フレーム１が接近するように折り畳む際に、左右の足載アーム４１や足載プレート４２同士が互いに干渉するのを阻止している。
【００８２】
なお、図示しないが実施形態２の車椅子は、正面視においてアーム傾動軸が、車椅子の外側に位置する一端が、車椅子の内側に位置する他端よりも高い位置になるように傾斜していてもよい。このようにアーム傾動軸が傾斜していても、足載アームのアーム傾動軸との角度を調整することで、アーム伸展位置において足載アームの先端部を両側フレームよりも内側に位置させることができる。また、実施形態２の車椅子は、足載アーム４１をアーム傾動軸４３に垂直に連結することで、足載アーム４１からアーム傾動軸４３に加わる荷重を、足載アーム４１とアーム傾動軸４３の交差部において均等にし、アーム傾動軸４３の強度を確保することができる。
【００８３】
以上の実施形態１および２は、各々アーム傾動軸が平面視あるいは正面視のいずれかにおいて両側フレームの垂直方向から傾斜した形態とした。ただ、図示しないがアーム傾動軸を平面視および正面視のいずれにおいても両側フレームに対して傾斜して設けた形態としてもよい。アーム傾動軸を上下方向および前後方向の両方に傾斜させて設けることで、上下方向および前後方向のそれぞれの傾斜角を小さくしながらも、アーム伸展位置において、より内側に足載アームの先端部を位置させることができる。
（変形例１）
【００８４】
以上、実施形態１および２の車椅子の説明をした。ただ、足載プレートのプレート展開姿勢において、左右の足載プレートの間の隙間を狭くする形態は以上に特定されない。
以上の形態は、足載プレート４２を矩形状に形成しながらも、左右のプレート回動軸４６を足載アーム４１の延在方向に対して傾斜させることで、左右の足載プレート４２の対向面を互いに平行とし、隙間を一定の間隔にしている。本変形例の車椅子は、プレート回動軸４６ａを足載アーム４１の延在方向に対して平行に設けながらも、足載プレート４２の対向面を互いに平行にし、隙間を一定の間隔にしている。
【００８５】
図１０に本変形例の車椅子の平面図を示す。図１０に示す車椅子の足載台８ａは、プレート回動軸４６ａが足載アーム４１の延在方向に対して平行に設けられている。足載プレート４２ａは、この足載アーム４１の先端に後端を連結される。図に示す足載プレート４２ａは、平面視が台形状に形成されている。図の足載プレート４２ａは後端がプレート回動軸４６に対して平行に設けられる。また、図に示す足載プレート４２ａの先端は、左右の足載プレート４２ａの対向面が互いに平行になるように設けられる。この先端と後端とを結ぶ二辺は互いに平行かつ、足載プレート４２ａの先端に対して垂直に設けられる。以上のような台形状に足載プレート４２ａを形成することで、プレート回動軸４６ａを足載アームの延在方向に対して平行としながらも、足載プレート４２ａ同士の対向面を平行として、左右の間の隙間が広がらないようにできる。
【００８６】
以上、変形例１の車椅子の説明をした。ただ、足載プレートの形状は矩形状や台形状に限定されない。例えば、対向面の中央部等が凸状に湾曲する形状であってもよい。この場合は、左右の足載プレートの中央部が最も接近する状態で、両側の隙間は広くなるが、中央部等が部分的に接近することで、足の落下を阻止することができる。また、対向面を湾曲することで、先端に設けられた支持帯同士の干渉も防止できる。
（変形例２）
【００８７】
また、実施形態１または２の車椅子は図５の正面図に示すように、左右の足載プレート４２の隙間を、近接しながらも離間した形態としたが、左右の足載プレートの対向面を離間せず接触させることで、隙間を完全に閉塞した変形例２の車椅子とすることもできる。以下、変形例２の説明をする。
（足載プレート４２ｂ）
【００８８】
変形例２の車椅子の足載台８ｂは、図１１の平面図に示すように、足載アーム４１をアーム伸展位置とした際に、左右の足載プレート４２ｂとの隙間が完全に閉塞している。このように、足載プレート４２ｂの隙間を閉塞することで、足載プレート４２ｂの隙間からユーザーの足が抜け落ちる懸念を解消することができる。さらに、この左右の足載プレート４２ｂにそれぞれ配設される左右の支持帯の対向位置に面ファスナー（図示無し）を設けることで、左右の足載プレート４２ｂを面ファスナーにより連結することができる。
【００８９】
また、図１１に示す足載プレーと４２ｂは、支持帯４７を通すためのスリット部４２Ｃｂを先端から後退した位置に並列して設けている。これにより、支持帯４７が足載プレート４２Ｃｂの先端から突出せず、支持帯４７同士が足載プレート４２ｂの先端で干渉して姿勢変更を妨げないようにしている。
【００９０】
図１１に示すように足載プレート４２ｂの隙間を閉塞するには、足載プレート４２ｂの先端から後端までの長さ調整することで実現できる。あるいは、アーム傾動軸の傾斜角αを調整することでも実現できる。
（変形例３）
【００９１】
さらに、本発明の車椅子は、変形例２のように左右の足載プレート４２の隙間を完全に閉塞するのに加えて、足載プレートの先端に互いに係合する部材を設けた変形例３とすることができる。以下、変形例３の説明をする。
（足載プレート４２ｃ）
【００９２】
変形例３の車椅子の足載台８ｃは、図１２の正面図に示すように、足載プレート４２ｃの先端にそれぞれ、第一係合部５１及び第二係合部５２を設けている。第一係合部５１及び第二係合部５２は、互いに係合するように形成されている。この第一係合部５１及び第二係合部５２は、足載プレート４２ｃのプレート展開姿勢において、互いに係合することで、左右の足載プレート４２ｃを連結することができる。これにより、足載アーム４１や足載プレート４２に横方向の力が加わったり、車椅子に振動が加えられたりしても、第一係合部５１及び第二係合部５２により、左右の足載プレート４２ｃの連結が維持される。これにより、不意に足載プレート４２の隙間が開き、開いた隙間からユーザーの足が抜け落ちるのを効果的に防止することができる。
【００９３】
足載プレート４２ｃの隙間を閉塞するには、足載プレート４２ｂの先端から後端までの長さを長くすることによって実現できる。あるいはアーム傾動軸を傾斜角αを大きくすることでも実現できる。
【００９４】
以上、変形例１〜３の説明をした。なお、変形例１〜３の説明に用いた図１０〜１２は実施形態２の、平面視においてアーム傾動軸４３ａが前後方向に傾斜した車椅子であるが、以上の変形例１〜３は実施形態１に適用することもできる。また、以上の変形例１〜３のうち、変形例１は変形例２または変形例３を組み合わせて適用することも可能である。
（実施形態３）
【００９５】
以上に、アーム傾動軸を両側フレームに対して傾斜させることで、左右の足載プレートの隙間を狭くした実施形態１および２とその変形例１〜３の説明をした。以下に、足載アームの一部を回転させることのできる回転部６４を含んだ足載台８ｄを備えることで、左右の足載プレートの隙間を狭くする実施形態３の説明をする。
（足載アーム６１）
【００９６】
図１３及び図１４に実施形態３の車椅子の要部拡大図を示す。図１３は実施形態３の車椅子の側面図を示している。図１４は図１３を平面視から見た図を示している。実施形態３の車椅子の足載台８ｄは、足載アーム６１が第一アーム部６２と第二アーム部６３とが連結されて形成される。図の第一アーム部６２の先端には回転部６４が設けられており、この回転部６４を介して第二アーム部６３の後端が第一アーム部６２の先端に連結される。この足載アーム６１は、傾動可能となるようにアーム傾動軸４３を介して後端が車椅子の両側フレーム１の足載台連結フレーム１６の外側面に連結される。この足載アームはアーム傾動軸４３を軸に前後に傾動することで、前方へ傾動したアーム伸展位置と、後方へと傾動したアーム折畳位置とに移行することができる。このアーム傾動軸４３は、平面視において両側フレーム１の垂直方向に対して傾斜して設けられる。また、この足載アーム６１は、足載アーム６１のアーム伸展位置において、足載アーム６１の先端部が後端の両側フレーム１との連結部よりも内側へ位置する。このアーム傾動軸４３を両側フレーム１に対して傾斜させる傾斜角は同様に、１°〜３０°とすることができ、好ましくは５°〜２０°、さらに好ましくは１０°〜１５°とする。
（第一アーム部６２）
【００９７】
図１３に示す第一アーム部６２は、足載アーム６１を前後方向を含む鉛直面内で折り畳みできるように、後端部をアーム傾動軸４３を介して足載台連結フレーム１６に連結している。図に示す第一アーム部６２は、足載アーム６１のアーム伸展位置において、先端部が下方へ向かうように湾曲している。この第一アーム部６２の先端には、第二アーム部６３を回転可能に連結するための回転部６４が設けられる。この回転部６４を介して第一アーム部６２の先端は第二アーム部６３の後端と連結される。
（第二アーム部６３）
【００９８】
図１３に示す第二アーム部６３は、後端を第一アーム部６２の先端に設けられた回転部６４に連結され、第一アーム部６３を軸として回転自在としている。また、先端部にはプレート回動軸４６を介して足載プレート４２が回動可能に連結される。
（回転部６４）
【００９９】
図１５は、足載アーム６１の要部拡大図である。図１５に示す足載アーム６１は、回転部６４を介して第一アーム部６２の先端に第二アーム部６３の後端が連結されている。図の回転部６４は、第二アーム部６３を第一アーム部６２を回転軸として軸回転できるように、第一アーム部６２に第二アーム部６３を連結している。図に示す足載アーム６１は、第二アーム部６３の後端に溝部６９が設けられている。図の第一アーム部６２の先端には、この溝部６９を引っ掛けて保持するフック部６８が設けられている。第二アーム部６３は、溝部６９でフック部６８により第一アーム部６２に連結されることで、第一アーム部６２に対して軸回転可能としている。また、第二アーム部６３の第一アーム部６２内部に位置する軸部６７には、外部から垂直方向に力を加えることで、軸部６７内部に収納される押しボタン６５が設けられている。この押しボタン６５はバネ（図示無し）や板バネ（図示無し）等で軸部６７の内部で支持されており、外部から力を加えるのを停止することで、軸部６７の外部へと復帰する。図の第一アーム部６２の先端には、この押しボタン６５を案内して第二アーム部６３を所定の角度で停止する停止穴６６が設けられている。停止穴６６は、第一の停止穴６６Ａと第二の停止穴６６Ｂとが設けられる。ただ、図１５には、２対の止めボタン６５及び停止穴６６が対向した位置にそれぞれ設けられているが、必ずしも止めボタン部６５及び停止穴６６を対向して設ける必要は無く、図に示す内の１対のみを設ける態様としてもよい。
（第二アーム部６３の角度調整）
【０１００】
この足載アーム６１は第一アーム部６２を回転軸として第二アーム部６３を回すことにより、第二アーム部６３の先端部に設けられた足載プレート４２の平面視における角度を調整することができる。足載アーム６１をアーム伸展位置とし、足を足載プレート４２に乗せる際には、プレート展開姿勢の足載プレート４２の対向面が平行となるように第二アーム部６３を回転させることにより、図５に示す実施形態１の車椅子と同様に、左右のプレート回動軸４６を平行にして、左右の足載プレート４２同士が直列に並ばせることができる。それにより、左右の足載プレート４２同士の隙間を対向面全面に渡って一定にして、足載プレート４２の隙間から足が抜け落ちる虞を低減できる。この際に、第二アーム部６３は、第二の停止穴６７Ｂに押しボタン６５が案内され、第二アーム部６３が所定の角度で停止する。図１４は図１３の平面視における要部拡大図である。なお、図１４は足載台８ｄの説明を分かりやすくするために、図１３には図示した車椅子の部材の一部を省略している。この車椅子は、足載プレート４２を収納スペース１８に収納する際には、図１３及び図１４に示すように足載プレート４２が足載アーム６１の傾動方向の垂直面に対して平行となるように、第二アーム部６３を回転させることができる。図に示す第二アーム部６３は、第一の停止穴６６Ａに押しボタン６５が案内されることで、所定の角度で停止する。車椅子の平面視において、両側フレーム１の垂直方向に対する足載プレート４２の占有領域を削減し、車椅子をよりコンパクトに折り畳むことができる。
【０１０１】
なお、以上の実施形態３は、上記の変形例２または３の何れか一方を適用し、左右の足載プレート４２の対向面同士が接触する形態とすることもできる。
【０１０２】
以上、実施形態１から３の車椅子は、アーム傾動軸を両側フレームの垂直方向に対して傾斜して設け、足載プレートの対向面を近接または接触させることで、左右の足載プレートの隙間から足が抜け落ちる虞を低減乃至解消している。以下に、アーム傾動軸を両側フレームに対して垂直に連結しながらも、足載プレートの隙間から足が抜け落ちる虞を低減乃至解消している他の実施形態について説明をする。
（実施形態４）
【０１０３】
図１６は実施形態４の車椅子の平面視における要部拡大図である。図１６は実施形態４の車椅子の足載台８ｅを示している。また、図１７は図１６に示す足載台８ｅの正面視を示す図である。ただ、図１６及び図１７は、足載台８ｅの説明を分かりやすくするために、実施形態１乃至４の図面には図示した車椅子の部材の一部を省略している。
【０１０４】
図１６の車椅子は、両側フレーム１の外側面に連結された足載アーム９１と、この足載アーム９１の先端に回動可能に連結された足載プレート４２を備える。図１６に示す車椅子の足載アーム９１は、両側フレーム１の同一垂直面内に設けられた足載台連結フレーム１６ｅに、アーム傾動軸４３ｅを介して連結している。図１６に示すアーム傾動軸４３ｅは、両側フレームに対して垂直に設けられている。図１６に示す足載台８ｅは、足載アームを前方に傾動したアーム伸展位置とし、足載プレート４２の上面が足載アーム９１に略垂直に直交するプレート展開姿勢とすることで、足載プレート４２の上面に足を載せることができる。
（足載アーム９１）
【０１０５】
図１６に示す足載アーム９１は、第一アーム部９２と第二アーム部９３とが連結されて形成される。図の足載アーム９１は、第一アーム部９２の先端に回転部９４が設けられており、この回転部９４を介して第二アーム部９３の後端が第一アーム部９１の先端に連結される。また、図１６に示す足載アーム９０は、第一アーム部９１の後端が両側フレーム１の外側面に鉛直面内で前後に傾動可能に連結されている。さらに、図１６に示す第二アーム部９３の先端には、足載プレート４２がプレート展開姿勢とプレート収納姿勢とに切替可能に連結されている。図１６に示す足載アーム９１は、第一アーム部９２が直線状に形成される。さらに、第二アーム部９３は、足載アーム９１のアーム伸展位置において、先端部が下方へ向かうように中間部で湾曲している。この第二アーム部９３は、第一アーム部９２を軸に軸回転させることができる。図１６に示すように、足載プレート４２を展開する際には、第二アーム部の先端が内側へ向かうように軸回転させることで、左右の足載プレートの対向面を近接することができる。
【０１０６】
図１７は、図１６に示す足載台の正面図であって、足載プレート４２をプレート収納姿勢にした状態を示す図である。図１７に示す足載アーム９１は、第一アーム部９２を軸に、第二アーム部９３を軸回転させることで、鎖線に示すように足載アーム９１全体を鉛直方向にすることができる。図に示す足載台８ｅは、足載アーム９１全体を鉛直方向にすることで、足載アーム９１を後方へ傾動する際に、平面視において、足載アーム９１及び足載プレート４２が、肘当てフレーム１２と中間フレーム１５の間に設けられた収納スペース１８から突出しないように、コンパクトに収納することができる。
（第一アーム部９２）
【０１０７】
図１６に示す第一アーム部９２は、後端がアーム傾動軸４３ｅを介して足載台連結フレーム（図示無し）の外側面に連結される。図１６に示す第一アーム部９２は直線状の部材であり、先端には回転部９４を設けている。さらに、この回転部９４を介して、第一アーム部９２は第二アーム部の後端と連結される。
（第二アーム部９３）
【０１０８】
図１６に示す第二アーム部９３は、後端が回転部９４を介して第一アーム部９２の先端と連結される。また、図１６の第二アーム部９３の先端部は、プレート回動軸４６ｅを介して足載プレート４２が連結している。プレート回動軸４６ｅは、両側フレーム１に対して平行になるように設けられている。この第二アーム部９３は、足載台を利用する際には、図１６に示すように、第二アーム部９３の先端部が内側へ向かうように、第一アーム部９２を軸に回転させる。これにより、左右の足載プレート４２を接近させて、左右の足載プレート４２の隙間から足が抜け落ちる虞を効果的に低減している。さらに、図１７に示すように、足載台８ｅを収納する際には、第一アーム部９２を軸に、第二足載アーム部９３の折曲部よりも前部が鉛直方向を向くように軸回転させることで、足載アーム９１全体を鉛直方向にして、足載アーム９１を後方へ折り畳んだ際に、よりコンパクトに折り畳むことができる。
（回転部９４）
【０１０９】
図１６に示す足載アーム９１は、回転部９４によって、第二アーム部９３が第一アーム部９２に対して軸回転できるように連結されている。図１５に示す実施形態３の第一アーム部６２と第二アーム部６３とを連結する回転部６４と同様のものを利用することができる。図に示す回転部９４は、第二アーム部９３を所定の位置で停止するための止めボタン６５と、この止めボタン６５を案内して停止するための停止穴６６とを備える。停止穴６６は、図１７に示すように、足載アーム９１全体が鉛直方向になる状態で第二アーム部を停止させる第一の停止穴６６Ｃと、図１６に示すように、第二アーム部６３の先端が平面視において内側へ向かう状態で第二アーム部９３を停止させる第二の停止穴６６Ｄとを含んでいる。この止めボタン６５と停止穴６６により、足載台の使用時や収納時に、第二アーム部６５を所定の位置で停止させることができる。
【０１１０】
以上、実施形態４の車椅子の説明をした。以上の実施形態４の車椅子は、実施形態１乃至４の車椅子と異なり、アーム傾動軸を両側フレームに対して垂直に設けた態様としている。ただ、実施形態１の変形例２または３に示すように、左右の足載プレートの先端を接触させたり、左右の足載プレートの先端に互いに係合する係合部を設けて連結する態様とすることもできる。
（実施形態５）
【０１１１】
図１８は実施形態５の車椅子の正面図である。図１８に示す車椅子の足載台８ｆは、両側フレームに対して平行となるように、両側フレーム１の外側面に連結された足載アーム４１ｆと、この足載アーム４１ｆの先端に回動可能に連結された足載プレート４２を備える。この足載プレート４２は、左右の足載プレート４２同士の隙間を閉塞するための中間プレート８０を設けている。この中間プレート８０は主面に足を載せることができる。この中間プレートで左右の足載プレート４２の隙間を閉塞することで、足載プレート４２の隙間から足が抜け落ちるのを効果的に防止している。
【０１１２】
図１８に示す車椅子の両側フレーム１は、中間フレーム１５と、中間フレーム１５の前部から下方へ向けて設けられた前フレーム１３とを備える。また、この両側フレーム１は、中間フレーム１５の前部と前フレーム１３の上部に囲まれた隅部に配設される足載台連結フレーム（図示無し）を設ける。この足載台連結フレームは、中間フレーム１５と前フレーム１３の同一垂直面内に設けられる。この足載台連結フレームの外側面に、足載アーム４１ｆが連結される。
（足載アーム４１ｆ）
【０１１３】
この車椅子は、両側フレーム１に設けられたアーム傾動軸４３ｆを介して足載アーム４１ｆを足載台連結フレームの外側面に連結している。足載アーム４１ｆを足載台連結フレームに連結するアーム傾動軸４３ｆは、両側フレーム１に対して垂直に設けられている。足載アーム４１ｆはアーム傾動軸４３ｆを軸に、アーム伸展位置と、アーム折畳位置とに傾動することができる。この足載アーム４１ｆの傾動方向は、両側フレーム１の垂直面に対して平行であり、図１８に示すように、足載アーム４１ｆのアーム伸展位置において、足載アーム４１ｆの先端は両側フレーム１の前方であって、両側フレーム１の外側面よりも外側に位置する。足載アーム４１ｆの先端部には足載プレート７０が回動可能に連結される。
（足載プレート７０）
【０１１４】
図１９は図１８に示す車椅子の足載台８ｆを示す要部拡大図である。足載プレート７０は、プレート展開姿勢とプレート収納姿勢とに折り畳みできるように、プレート回動軸４６ｆを介して足載アーム４１ｆの先端に連結している。この足載プレート７０は、左右のうち一方である第一足載プレート７１に、他方である第二足載プレート７２と連結可能な中間プレート８０が連結される。この足載プレート７０は、中間プレート８０によって連結することで、第一足載プレート７１と第二足載プレート７２と中間プレート８０とを一体の足載プレートとして利用することができる。この中間プレート８０によって、第一足載プレート７１と第二足載プレート７２の間の隙間が閉塞され、第一足載プレート７１と第二足載プレート７２との間から足が抜け落ちるのを効果的に防止することができる。
（中間プレート８０）
【０１１５】
図１９に示す中間プレート８０は、後端が第一足載プレート７１の先端に、回動可能に中間プレートプレート回動軸７３によって連結されている。それにより、中間プレート８０は、先端が第一足載プレート７１側と、第二足載プレート７２側とに回動することができる。中間プレート８０と第二足載プレート７２のそれぞれの先端には、互いに対応した係合部７４が設けられる。図１９に示す係合部７４は爪部７４Ａと、爪部７４Ａを引っ掛けることができる受け部７４Ｂを備える。図１９に示すように中間プレート８０の先端には、爪部７４Ａが設けられている。この爪部７４Ａは、第二足載プレート７２の先端に設けられた受け部７４Ｂと係合可能である。足載台８ｆの使用時には、係合部７４を係合し、中間プレート８０を介して第一足載プレート７１と第二足載プレート７２を連結することで、一体の足載プレートとして利用することができる。
（第一足載プレート７１）
【０１１６】
第一足載プレート７１の上面には、中間プレート８０の形状に対応した溝部７６を備える。中間プレート８０によって第一足載プレート７１と第二足載プレート７２とを連結しない際は、中間プレート８０をこの溝部７６に嵌合することで、第一足載プレート７１内に中間プレート８０を収納することができる。図２０は中間プレート８０を第一足載プレート７１に収納した状態を示す斜視図である。図２０に示すように、中間プレート８０を第一足載プレート７１内に収納することで、中間プレート８０を使用しない際や、足載アーム４１ｆを後方へ傾動する際に、中間プレート８０が邪魔にならないようにすることができる。さらに、この中間プレート８０は、収納時において、中間プレート８０の裏面と、第一足載プレート７１の上面とが略平面を形成することが好ましい。これにより、車椅子のユーザーは、中間プレートの収納時において、第一足載プレート７１を通常の足載プレート７１と同様に利用することができる。ただ、中間プレートの裏面や第一足載プレートには滑り止め用の突起（図示無し）などを設けてもよい。
（凸部７８と凹部７９）
【０１１７】
さらに、図１９に示す足載プレート７０は、第一足載プレート７１の溝部７６内に複数の凸部７８を備え、中間プレート８０の主面に凸部７８と対応した凹部７９を備える。この凸部７８は、中間プレート８０によって第一足載プレート７１と第二足載プレート７２とを連結した際においても、ユーザーは溝部７６に足を落とすことなく第一足載プレート７１に載せられた足を支持する。さらに、中間プレート８０の主面に凸部７８に対応した凹部７９が設けられているため、中間プレート８０を第一足載プレート７１に収納する際に、凸部７８は凹部７９に嵌合する。そのため、図２０に示すように、中間プレート８０を収納する際は、凸部７８により妨げられることなく、中間プレート８０が第一足載プレート７０に収納される。
（凸部と凹部の変形例）
【０１１８】
図１９に示す凸部７８及び凹部７９は、一列につき複数配置された形態としている。これにより、中間プレート８０の凹部７９が一つではなく複数に分割された形態となるため、凹部７９の列に仕切りを設け、中間プレート８０の強度を向上することができる。ただ、本実施形態の凸部及び凹部の形態は以上に限定されない。凸部と凹部の縦横方向にそれぞれ配置される数は特定されず、一つでもよいし、二つ以上とすることができる。凸部や凹部の数が少なければ形成が容易となる。一方、凸部と凹部の数が増えれば、凹部同士の仕切りが密になるため、中間プレートの強度を向上することができる。また、凸部や凹部の形状も以上に限定されない。例えば、第一足載プレートや中間プレートに対して斜め方向にも凸部や凹部を設けて、第一足載プレートや中間プレートを構造的に補強することもできる。さらに、凹部は貫通孔とすることもできる。凹部を貫通孔とすることで、構造が単純となり形成を容易としながらも、中間プレートを第一足載プレートに収納した際に、中間プレートの主面と凸部が略平面状を形成することで、通常の足載プレートとして利用することができる。
【０１１９】
ただ、中間プレートを左右いずれかの足載プレートの先端に回動自在に連結することは必ずしも必須ではない。図２１は、実施形態５の車椅子の変形例を示す要部拡大図である。図２１に示すように、中間プレート８０ｘの両端に爪部７４Ａを設け、足載プレート７０ｘの先端に爪部７４Ａを係合可能な受け部７４Ｂを設けることで、中間プレート８０ｘを着脱自在とすることもできる。また、図示しないが、中間プレートは回動自在に連結する他に、中間プレートが、中間プレートを設けた側とは反対側の足載プレートへ向けてスライドする等の形態とすることもできる。
【０１２０】
以上、実施形態５及びその変形例の車椅子の説明をした。ただ、以上の車椅子は、アーム傾動軸４６ｆを両側フレーム１に対して垂直に設けているが、必ずしもアーム傾動軸を両側フレームに対して垂直に設ける必要はない。実施形態１や２と同様に、アーム傾動軸傾斜させて、左右の足載プレートを接近させながらも、さらに中間プレートを設けて左右の足載プレートの隙間を閉塞することもできる。
【産業上の利用可能性】
【０１２１】
本発明の車椅子は、足載アームを前後方向に傾動可能としつつも、足載アームのアーム伸展位置において、左右の足載プレートの対向面を近接し、足載プレートの隙間から足が抜け落ちる虞を低減できる車椅子として利用可能である。
【符号の説明】
【０１２２】
１…両側フレーム
２…折畳リンク
３…駆動車輪
４…自在小車輪
５…座部
６…座部フレーム
７…座部シート
８…足載台                                    ８ａ…足載台
８ｂ…足載台
８ｃ…足載台
８ｄ…足載台
８ｅ…足載台
８ｆ…足載台
１０…背もたれシート
１１…下フレーム
１２…肘当てフレーム
１３…前フレーム
１４…上下フレーム
１５…中間フレーム
１６…足載台連結フレーム                      １６ｅ…足載台連結フレーム
１７…ブレーキフレーム
１８…収納スペース
２０…肘当て
３５…グリップリング
３７…ブレーキ                                ３７Ａ…操作レバー部
３７Ｂ…押圧部
４１…足載アーム                              ４１ｆ…足載アーム
４２…足載プレート                            ４２Ａ…プレート軸受部
４２Ｂ…ストッパ溝
４２Ｃ…スリット部
４２Ｃｂ…スリット部
４２ａ…足載プレート
４２ｂ…足載プレート
４２ｃ…足載プレート
４３…アーム傾動軸                            ４３ｅ…アーム傾動軸
４３ｆ…アーム傾動軸
４４…位置決ストッパ                          ４４Ａ…第一のストッパ部
４４Ｂ…第二のストッパ部
４４Ｃ…アーム軸受部
４５…保持溝                                  ４５Ａ…第一の保持溝
４５Ｂ…第二の保持溝
４６…プレート回動軸                          ４６ａ…プレート回動軸
４６ｅ…プレート回動軸
４６ｆ…プレート回動軸
４７…支持帯
４９…交差部
５１…第一係合部
５２…第二係合部
６１…足載アーム
６２…第一アーム部
６３…第二アーム部
６４…回転部
６５…押しボタン
６６…停止穴                                  ６６Ａ…第一の停止穴
６６Ｂ…第二の停止穴
６６Ｃ…第一の停止穴
６６Ｄ…第一の停止穴
６７…軸部
６８…フック部
６９…溝部
７０…足載プレート                            ７０ｘ…足載プレート
７１…第一足載プレート
７２…第二足載プレート
７３…中間プレート回動軸
７４…係合部                                  ７４Ａ…爪部
７４Ｂ…受け部
７６…溝部
７８…凸部
７９…凹部
８０…中間プレート                            ８０ｘ…中間プレート
９１…足載アーム
９２…第一アーム部
９３…第二アーム部
９４…回転部
１０３…駆動車輪
１０７…座部シート
１０８…足載台
１４１…足載アーム
１４２…足載プレート
２０１…両側フレーム
２０８…足載台
２４１…足載アーム
２４２…足載プレート
ＶＰ…垂直面
ＨＬ…水平線
【図１】
0006717642.tif 000002
【図２】
0006717642.tif 000003
【図３】
0006717642.tif 000004
【図４】
0006717642.tif 000005
【図５】
0006717642.tif 000006
【図６】
0006717642.tif 000007
【図７】
0006717642.tif 000008
【図８】
0006717642.tif 000009
【図９】
0006717642.tif 000010
【図１０】
0006717642.tif 000011
【図１１】
0006717642.tif 000012
【図１２】
0006717642.tif 000013
【図１３】
0006717642.tif 000014
【図１４】
0006717642.tif 000015
【図１５】
0006717642.tif 000016
【図１６】
0006717642.tif 000017
【図１７】
0006717642.tif 000018
【図１８】
0006717642.tif 000019
【図１９】
0006717642.tif 000020
【図２０】
0006717642.tif 000021
【図２１】
0006717642.tif 000022
【図２２】
0006717642.tif 000023
【図２３】
0006717642.tif 000024